(57)【特許請求の範囲】
【請求項１】
扁平形状における一方の平面部および側面部を構成するプラス極と、他方の平面部を構成するマイナス極とを有する電池を電源とする回路部と、前記電池が収納される電池収納部とを備える時計であって、
前記回路部は、基準電位が前記マイナス極側に設定された電源電圧で動作し、
前記電池収納部は、少なくとも前記回路部とは反対側の部分を含む位置に形成された開口部を有する収納部本体と、前記開口部の内周面部に少なくとも一部が設けられて前記回路部に導通されるプラス接続端子と、前記開口部の前記回路部側とは反対側に設けられ前記電池を前記回路部との間に押圧固定するとともに前記回路部に導通されるマイナス接続固定端子とを備える
ことを特徴とする時計。
【請求項２】
請求項１に記載の時計であって、
前記マイナス接続固定端子は、前記電池の平面部における２以上の位置に圧接する
ことを特徴とする時計。
【請求項３】
請求項２に記載の時計であって、
前記マイナス接続固定端子による圧接箇所は、前記電池の平面部において３以上でかつ前記電池の周方向に略均等に配置されている
ことを特徴とする時計。
【請求項４】
請求項１から３のいずれかに記載の時計であって、
前記マイナス接続固定端子は、前記回路部における２以上の位置に当接する
ことを特徴とする時計。
【請求項５】
請求項１から４のいずれかに記載の時計であって、
前記プラス接続端子は、前記電池の周方向における２箇所以上で前記電池の側面部に圧接する
ことを特徴とする時計。
【請求項６】
請求項１から５のいずれかに記載の時計であって、
前記開口部の前記電池の厚み方向における寸法は、前記電池の厚みよりも大きく、
前記マイナス接続固定端子は、前記収納部本体における前記開口部の平面方向外側の位置と前記電池の平面部とに架設される
ことを特徴とする時計。
【請求項７】
請求項１から６のいずれかに記載の時計であって、
前記マイナス接続固定端子は、前記収納部本体の前記回路部側とは反対側に設けられて前記電池に圧接する金属製弾性部と、この金属製弾性部と前記回路部とを導通する金属製導通部材とを有する
ことを特徴とする時計。
【請求項８】
請求項１から６のいずれかに記載の時計であって、
前記マイナス接続固定端子は、前記収納部本体の前記回路部側とは反対側に設けられて前記電池に圧接する板バネ部と、前記回路部に導通される板バネ部とを一体に有する金属製の板部材である
ことを特徴とする時計。
【請求項９】
扁平形状における一方の平面部および側面部を構成するプラス極と、他方の平面部を構成するマイナス極とを有する電池を電源とする回路部と、前記電池が収納される電池収納部とを備える携帯機器であって、
前記回路部は、基準電位が前記マイナス極側に設定された電源電圧で動作し、
前記電池収納部は、少なくとも前記回路部とは反対側の部分を含む位置に形成された開口部を有する収納部本体と、前記開口部の内周面部に少なくとも一部が設けられて前記回路部に導通されるプラス接続端子と、前記開口部の前記回路部側とは反対側に設けられ前記電池を前記回路部との間に押圧固定するとともに前記回路部に導通されるマイナス接続固定端子とを備える
ことを特徴とする携帯機器。
【発明の詳細な説明】
【技術分野】
【０００１】
本発明は、コイン型電池やボタン型電池などの扁平形状の電池が組み込まれる時計および携帯機器における電池の接続端子構造に関する。詳しくは、これらの偏平形状の電池が逆極性に組み込まれた場合でも安全性を確保できる電池の接続端子構造に関する。
【背景技術】
【０００２】
近年、時計をはじめとする小型薄型の携帯機器における電源として、高容量のリチウム電池を搭載したり、充放電が可能なリチウムイオン電池などを搭載することが多くなっている。これらの電池は扁平なコイン型が主流であり、扁平であるために表裏を判別し難いので、プラス極とマイナス極とが逆の状態で組み込まれ易い。このため、このようなコイン型電池は、電池ケースの一方の平面部および側面部に亘ってプラス極が形成され、マイナス極が電池ケースの他方の平面部にのみ形成された構造に標準化されており（例えば、特許文献１参照）、このようなプラス極とマイナス極との形状の相違によって極性の区別がつくようになっている。ただし、コイン型電池におけるプラス極とマイナス極との形状の差は僅かであって、各種機器における電池の固定構造には種々のものがあるため、電池交換時などに誤って、逆極性に誤挿入される可能性が高い。このように誤挿入されると、電池や回路部の損傷や、電池の破裂などが生じかねない。
【０００３】
ところで、誤挿入の問題への対応としては、次の２つの考え方がある。
i）逆極性では挿入不可能な構造とする。
ii）逆極性で挿入されても安全な構造とする。
【０００４】
従来、誤挿入の問題を解決しうる構造としては、コイン型ではないが円筒状の電池に関して、特許文献２〜４などが知られている。これらはいずれも電池のプラス極とマイナス極との形状差を利用した物理的な解決手段である。特許文献２では、マイナス接続端子が電池のマイナス極の中心から外れた位置に設けられるとともに、このマイナス接続端子近傍にリブが形成されていて、誤挿入時に電池のプラス極がリブに当たることによって誤挿入を防止している。また、特許文献３では、電池収納部のプラス接続端子に突起が形成され、誤挿入時にこの突起に電池のマイナス極の端縁部が当たることによって電池マイナス極と電池収納部のプラス接続端子とが通電しないようにしている。そして、特許文献４では、縦穴状の電池収納部において、電池をプラス極側から挿入した場合にのみ電池の挿入を許容するラッチ手段、ストッパ手段、および付勢手段が設けられている。また、特許文献５には、複数のボタン型電池が直列に配置される電池ホルダにおいて、プラス極よりも幅が狭いマイナス極を支持する一対のリブが所定間隔で形成されており、これによって電池の誤挿入を防止する構造が示されている（特許文献５）。
なお、特許文献２、４、５の考え方は、前記i）であり、特許文献３の考え方は、前記ii）である。
【０００５】
ここで、扁平なコイン型電池においても、前述したプラス極およびマイナス極の形状の差に基づいて誤挿入の問題に対処することが考えられるが、コイン型電池は凸部などがない平坦な形状のため、特許文献２〜５のように電池収納部にリブ等を形成するなどの手法は適用できない。このようなコイン型電池では電池形状による誤挿入対策が難しいため、前記i）の考え方として、一方の電極に板状の端子やコネクタ等を取り付けることによって固有化し（カスタマイズ）、誤挿入を防止していた。このように固有化された電池は、その端子やコネクタに対応する機器専用となる。
このほか、前記ii）の考え方として、回路上にダイオード等を追加して電流を一方向に規制し、誤挿入された場合には回路に電流が流れないようにしていた。
【０００６】
【特許文献１】特開２００６−５９７０４号公報
【特許文献２】特開平７−３０１０９３号公報
【特許文献３】特開平１１−３６９２号公報
【特許文献４】特開２００５−３５３４８３号公報
【特許文献５】特開２００５−２１６７１９号公報
【発明の開示】
【発明が解決しようとする課題】
【０００７】
上述のように、コイン型などの扁平形状の電池は凸部などがない平坦な形状のため、物理的な誤挿入対策が難しい。また、電池の固有化には、端子の溶接等に伴うサイズアップやコストアップといった課題があり、そのうえ市場での消費者の電池選択の巾を狭める事になってしまう。
他方、回路にダイオード素子等を設ける場合には、回路部に素子配置スペースが必要となって小型薄型化が阻害され、部品点数が増えるためコスト的にも不利となる。
なお、プラス極とマイナス極との形状差が少なく、比較的平坦な形状のボタン型電池にも、コイン型電池と共通の課題があった。
【０００８】
本発明の目的は、上記課題に鑑みて、扁平形状の電池についての誤挿入対策をコスト高や大型化を招くことなく確実に行うことができる時計および携帯機器を提供することにある。
【課題を解決するための手段】
【０００９】
本発明の時計は、扁平形状における一方の平面部および側面部を構成するプラス極と、他方の平面部を構成するマイナス極とを有する電池を電源とする回路部と、前記電池が収納される電池収納部とを備える時計であって、前記回路部は、基準電位が前記マイナス極側に設定された電源電圧で動作し、前記電池収納部は、少なくとも前記回路部とは反対側の部分を含む位置に形成された開口部を有する収納部本体と、前記開口部の内周面部に少なくとも一部が設けられて前記回路部に導通されるプラス接続端子と、前記開口部の前記回路部側とは反対側に設けられ前記電池を前記回路部との間に押圧固定するとともに前記回路部に導通されるマイナス接続固定端子とを備えることを特徴とする。
【００１０】
本発明では、電池のプラス極が電池側面で接続され、電池のマイナス極が平面的に接続されるように、プラス接続端子およびマイナス接続固定端子が配置されている。これにより、電池が正常に組み込まれた場合には、プラス接続端子は電池のプラス極にマイナス接続固定端子は電池のマイナス極に接続され、逆に組み込まれた場合には、プラス接続端子およびマイナス接続固定端子の両方とも電池のプラス極に接続される。すなわち、誤挿入時にプラス接続端子およびマイナス接続固定端子の両方とも電池のプラス極に接続されるので、回路部に電流が流れず、誤挿入による逆電圧印加を回避できる。これにより、電池や回路部の損傷や、電池の破裂、過熱などを防止できる。また、誤挿入の状態のまま外部印加電力により電池が充電されても逆方向に電流が流れないため、逆充電を防止できる。さらに、回路部に電流が流れず、時計が動作しないため、誤挿入を使用者に容易に知らせることができる。
このような本発明では、前記ii）の考え方によって電池の誤挿入対策が行われている。
【００１１】
ここで、本発明における電池は、前述のようにプラス極とマイナス極との形状が標準化されたものであって、本発明の誤挿入対策は、基準電位がマイナス極側に設定された電源電圧で回路部が動作することによって可能となる。本発明では、電池のマイナス極側が基準電位となるマイナスアースとされる。
すなわち、基準電位がプラス極側に設定された電源電圧で動作する一般的な時計の電子回路では、誤挿入時に電池のプラス極が回路部の低電位側に接続されるため、逆電圧印加となって電子回路や電池が損傷してしまう。このように電池のプラス極側が基準電位となるプラスアースでは、マイナス極が平面部および側面部を構成する特殊構造の電池を使用しない限り、本発明のようなプラス接続端子およびマイナス接続固定端子の配置による誤挿入対策は実現できない。
【００１２】
本発明は、物理的な誤挿入対策が難しい扁平形状の電池に関し、プラス接続端子およびマイナス接続固定端子が上述のように配置される簡易な構造によって誤挿入対策を確実に行うことができる。すなわち、電池の固有化やダイオードを用いることが不要であり、固有化のコストや、ダイオード等の部品コスト、実装コスト等を削減できる。また、コネクタやダイオード等が不要となるため電池収納部や回路部が大型化しない。本発明では固有化されていない標準の電池が使える為、汎用品を安価に入手できる。
【００１３】
そのうえ、開口部の回路部側とは反対側に設けられたマイナス接続固定端子によって電池が回路部との間に押圧固定されていることにより、開口部からの電池の離脱が防止されるとともに電池と回路部との電気的結合が安定する。なお、マイナス接続端子が開口部の回路部側に設けられている場合でも、プラス接続端子を電池の端面のみで導通する事で、誤挿入時にプラス接続端子とマイナス接続端子との両方が電池のプラス極に接続される構成にはできるが、別途、電池のプラス極を押さえる絶縁性部材が必要となるため、コストが増加する。すなわち、マイナス接続固定端子が電池の回路部への導通と、電池の電池収納部への固定とに兼用されることにより、コスト的に有利となり、小型薄型化が阻害されない。
【００１４】
本発明の時計では、前記マイナス接続固定端子は、前記電池の平面部における２以上の位置に圧接することが好ましい。
【００１５】
この発明によれば、マイナス接続固定端子が電池の平面部を２以上の位置で圧接することにより、電池が厚み方向に対して傾きにくくなるため、携帯に伴う外乱、衝撃の際も電池と回路部との電気的結合が安定する。
なお、マイナス接続固定端子における複数の圧接箇所はそれぞれ、別部材で構成することも一体に構成することもできる。
【００１６】
本発明の時計では、前記マイナス接続固定端子による圧接箇所は、前記電池の平面部において３以上でかつ前記電池の周方向に略均等に配置されていることが好ましい。
【００１７】
この発明によれば、マイナス接続固定端子が電池の平面部を３箇所で均等に圧接することにより、電池が厚み方向に対してより傾きにくくなるため、電池と回路部との電気的結合がより安定する。
【００１８】
本発明の時計では、前記マイナス接続固定端子は、前記回路部における２以上の位置に当接することが好ましい。
【００１９】
この発明によれば、マイナス接続固定端子が回路部に２箇所以上で当接することにより、携帯に伴う外乱、衝撃の際も電池と回路部との電気的結合が安定する。
【００２０】
本発明の時計では、前記プラス接続端子は、前記電池の周方向における２箇所以上で前記電池の側面部に圧接することが好ましい。
【００２１】
この発明によれば、プラス接続端子によって電池が周方向の２箇所以上で圧接されることにより、開口部の内周面部に対する電池の移動が規制されるため、携帯に伴う外乱、衝撃の際も電池と回路部との電気的結合が安定する。
なお、プラス接続端子における複数の圧接箇所はそれぞれ、別部材で構成することも一体に構成することもできる。
【００２２】
本発明の時計では、前記開口部の前記電池の厚み方向における寸法は、前記電池の厚みよりも大きく、前記マイナス接続固定端子は、前記収納部本体における前記開口部の平面方向外側の位置と前記電池の平面部とに架設されることが好ましい。
【００２３】
この発明によれば、開口部の寸法と電池の厚みとの関係により、マイナス接続固定端子と電池プラス極の側面部との間に空隙が形成されるので、簡易な構造により、電池のプラス極とマイナス極との短絡を防止できる。
【００２４】
本発明の時計では、前記マイナス接続固定端子は、前記収納部本体の前記回路部側とは反対側に設けられて前記電池に圧接する金属製弾性部と、この金属製弾性部と前記回路部とを導通する金属製導通部材とを有することが好ましい。
【００２５】
この発明では、マイナス接続固定端子の機能のうち電池マイナス極への圧接を弾性部に、電池マイナス極から回路部への導通を金属製導通部材にそれぞれ分担させることにより、電池から回路部への導通構造を容易に形成できる。
なお、金属製導通部材は例えば、電池収納部を貫通する孔に配設されればよい。金属製導通部材には、金属製コイルばねや金属製ねじ、はんだ、鋼線などがある。
【００２６】
本発明の時計では、前記マイナス接続固定端子は、前記収納部本体の前記回路部側とは反対側に設けられて前記電池に圧接する板バネ部と、前記回路部に導通される板バネ部とを一体に有する金属製の板部材であることが好ましい。
【００２７】
この発明によれば、電池マイナス極への圧接と、電池マイナス極から回路部への導通とが一つの板部材により行われるので、部品点数が減少し、安価な構造とできる。
【００２８】
本発明の携帯機器は、扁平形状における一方の平面部および側面部を構成するプラス極と、他方の平面部を構成するマイナス極とを有する電池を電源とする回路部と、前記電池が収納される電池収納部とを備える携帯機器であって、前記回路部は、基準電位が前記マイナス極側に設定された電源電圧で動作し、前記電池収納部は、少なくとも前記回路部とは反対側の部分を含む位置に形成された開口部を有する収納部本体と、前記開口部の内周面部に少なくとも一部が設けられて前記回路部に導通されるプラス接続端子と、前記開口部の前記回路部側とは反対側に設けられ前記電池を前記回路部との間に押圧固定するとともに前記回路部に導通されるマイナス接続固定端子とを備えることを特徴とする。
【００２９】
この発明によれば、前述と同様に、誤挿入時にプラス接続端子およびマイナス接続固定端子の両方とも電池のプラス極に接続されるので、回路部に電流が流れず、電池や回路部の損傷や、電池の破裂、逆充電などを防止できる。また、回路部に電流が流れず、時計が動作しないため、誤挿入を使用者に容易に知らせることができる。
このような本発明によれば、電池の固有化やダイオード等を用いることが不要となるため、コスト高とならず、携帯機器の小型薄型化を促進できる。また、消費者は汎用品の電池を安価に入手できる。
そのうえ、マイナス接続固定端子によって電池が押圧固定されていることにより、開口部からの電池の離脱が防止されるとともに電池と回路部との電気的結合が安定し、このようにマイナス接続固定端子が電池の回路基板への導通と、電池の電池収納部への固定とに兼用されることにより、コスト的に有利となり、小型薄型化が阻害されない。
【発明の効果】
【００３０】
以上の本発明によれば、扁平形状の電池についての誤挿入対策をコスト高や大型化を招くことなく確実に行うことができる。
【発明を実施するための最良の形態】
【００３１】
以下、本発明の一実施形態について図面を参照して説明する。なお、以降の説明において、既に説明した構成と同様の構成については、同一符号を付して説明を省略または簡略にする。
〔第１実施形態〕
図１は、本実施形態に係る腕時計を裏蓋側から見た平面図である（裏蓋を外した状態）。図２は、図１のII−II´線断面図である。本実施形態の時計１は、ディジタル表示式の電子時計であり、図２に示すように、回路部としての回路基板２と、表示パネル３と、コイン型の電池４を収納する電池収納部５と、外装ケース６とを備えている。外装ケース６は、胴６１と、風防ガラス６２と、金属製の裏蓋６３とを有している。なお、６１Ａは胴６１の内周面である。
【００３２】
回路基板２には、表示パネルのドライバＩＣや制御ＩＣ等の回路素子２１が実装され、回路基板２上の電子回路は電池４を電源として動作する。ここで、本実施形態の電子回路では、電池４のマイナス極に接続される低電位側を基準電位ＧＮＤとしており、電池４のプラス極に接続される高電位側と基準電位ＧＮＤとにより正電圧の電源電圧が印加される。
【００３３】
表示パネル３は、液晶パネル、有機ＥＬパネル、電気泳動パネルなどで構成され、電池４から供給される電力によって駆動する。表示パネル３の周縁部には、パネル枠３１が設けられており、このパネル枠３１により、表示パネル３の平面位置および断面位置（厚み方向位置）が規定されている。
【００３４】
図２に、電池４の概略構成を示した。本実施形態の電池４は、充放電が可能なリチウム二次電池である。電池４の金属製ケース４０は、電池４の一方の平面部４１１および当該平面部４１１の外周部から起立する円筒面状の側面部４１２を構成するプラス極４１と、プラス極４１の内側にプラス極４１の平面部４１１と対向するように配置されて電池４の他方の平面部を構成するマイナス極４２とを有して構成されている。
マイナス極４２は、プラス極４１の側面部４１２の内側に重なる側面部４２Ａを有している。プラス極４１の側面部４１２とマイナス極４２の側面部４２Ａとの間には、ガスケット４３が介装されており、このガスケット４３は、プラス極４１とマイナス極４２とを絶縁するとともに電池内圧に対し封止する。
【００３５】
電池収納部５は、絶縁性樹脂で形成された収納部本体５０と、電池４のプラス極４１に接続される金属製のプラス接続端子５１と、電池４のマイナス極４２に接続される金属製のマイナス接続固定端子５２とを有している。なお、図１において、マイナス接続固定端子５２を二点鎖線で示す。
収納部本体５０は、図１に示すように、電池４の形状に倣って開口部５０１が形成された環状の枠体である。ここで、開口部５０１の電池４の厚み方向における寸法は電池４の厚みよりも大きい。
開口部５０１の内周面部の一部は、電池４の平面方向外側に拡がっており、これによって空間５０２が形成されている。この空間５０２が形成された部分における収納部本体５０の回路基板２側の端部には、図２に示すように段差部５０３が形成されている。
また、収納部本体５０において空間５０２が形成された位置と平面的に異なる位置には、回路基板２の図示しない基準電位ＧＮＤのパターンに対向する２つの貫通孔５０４が形成されている。
【００３６】
プラス接続端子５１は、図１に示すように、段差部５０３（図２）に支持固定される略矩形状の固定部５１０と、空間５０２に設けられ電池４の側面部４１２に沿って延びる弾性部５１１，５１２とを有している。
固定部５１０は、段差部５０３に支持固定される部分から回路基板２側に曲げられた２つの接続部５１０Ａ，５１０Ｂを有しており、これらの接続部５１０Ａ，５１０Ｂはそれぞれ、回路基板２における図示しないＶＤＤ（高電位側電圧）のパターンに当接した状態で係止されている。
また、弾性部５１１，５１２の先端はそれぞれ、電池４のプラス極４１の側面部４１２に圧接している。
【００３７】
マイナス接続固定端子５２は、図１に示すように、裏蓋６３側から収納部本体５０に重ねられる金属製の板部材５２１と、収納部本体５０の各貫通孔５０４にそれぞれ挿通される２つの金属製圧縮コイルばね５２２とを有している。各コイルばね５２２は板部材５２１で押さえられており、図２のようにコイルばね５２２の端部が回路基板２の基準電位ＧＮＤのパターン（図示せず）に当接した状態で係止されている。
【００３８】
板部材５２１は収納部本体５０に重ねられる部分の外周部の数箇所に、収納部本体５０の側面に沿って曲げられた取付部５２１Ａを有している。図２に示すように、この取付部５２１Ａの先端部がパネル枠３１の側面部に係合することにより、収納部本体５０、回路基板２、およびパネル枠３１が積層された状態で一体に組み付けられている。この一体とされた収納部本体５０、回路基板２、およびパネル枠３１により、時計体のモジュールが構成されている。
【００３９】
また、板部材５２１の略円形状の平面部における中央部には、図１に示すように打ち抜きによって３つの弾性部５２１Ｂが電池４の平面中心から等距離かつ円周方向に均等に形成されている。これらの弾性部５２１Ｂは、収納部本体５０における開口部５０１の平面方向外側の位置と電池４のマイナス極４２とに架設された状態となっている。すなわち、各弾性部５２１Ｂにおける基端部側は、図２のように電池４に接触しておらず、この基端部側から電池４側に曲げられた弾性部５２１Ｂの先端部が電池４のマイナス極４２に圧接している。
【００４０】
ここで、収納部本体５０は、電池４の位置を規定しているとともに、プラス接続端子５１およびマイナス接続固定端子５２のそれぞれの位置を規定している。
そして、マイナス接続固定端子５２により収納部本体５０、回路基板２、およびパネル枠３１が組み付けられることにより、回路基板２の平面位置および断面位置が規定されている。
さらに、滑らかなモジュール外周部を構成する収納部本体５０とパネル枠３１とが胴６１の内部に固定されることにより、モジュールの各構成部品の平面位置および断面位置がそれぞれ規定されている。
【００４１】
以上のような電池収納部５を組み立てる際には、収納部本体５０の開口部５０１に電池４が挿入され、かつ貫通孔５０４にコイルばね５２２が挿通された状態で、収納部本体５０にマイナス接続固定端子５２の板部材５２１を重ねた状態とし、収納部本体５０、回路基板２、およびパネル枠３１をマイナス接続固定端子５２の取付部５２１Ａによって一体に組み立てる。これにより、電池４はマイナス接続固定端子５２と回路基板２との間に押圧固定される。また、プラス接続端子５１の弾性部５１１，５１２が電池４の側面部４１２に圧接し、マイナス接続固定端子５２の３つの弾性部５２１Ｂが電池４のマイナス極４２に圧接するため、電池４の平面位置および断面位置が固定される。
【００４２】
ここで、図２に示すように電池４が正しい極性で電池収納部５に挿入された場合、プラス接続端子５１により、電池４のプラス極４１との導通が取られ、マイナス接続固定端子５２（板部材５２１およびコイルばね５２２）により、電池４のマイナス極４２との導通が取られる。この場合、電池４のプラス極４１はプラス接続端子５１の接続部５１０Ａ，５１０Ｂにより回路基板２のＶＤＤ（高電位電圧側）に導通され、電池４のマイナス極４２はコイルばね５２２を介して回路基板２の基準電位ＧＮＤに導通される。これにより、回路基板２の電子回路に電源電圧が印加される。
【００４３】
図３は、電池４が逆極性で電池収納部５に誤挿入された状態を示す。この場合、プラス接続端子５１とマイナス接続固定端子５２との両方とも電池４のプラス極４１に接続されるため、ＧＮＤとＶＤＤとが同電位となり、回路基板２の電子回路に電流が流れない。すなわち、誤挿入時に電子回路において逆電圧が印加されるおそれはない。また、誤挿入のまま外部印加電力により電池４が充電された場合でも、逆充電されない。
【００４４】
以上の本実施形態によれば、次のような効果が得られる。
（１）電池収納部５のプラス接続端子５１およびマイナス接続固定端子５２が上述の位置に設けられているとともに、マイナス極４２が基準電位ＧＮＤに導通されるマイナスアースとされていることにより、誤挿入時に回路基板２の電子回路に電流が流れず、電子回路への逆電圧印加を防止できる。これにより、回路基板２の電子回路や電池４の損傷や、電池４の破裂、過熱、逆充電などを防止できる。さらに、回路基板２に電流が流れず、時計が動作しないため、誤挿入を使用者に容易に知らせることができる。すなわち、電池４が逆極性に組み込まれた場合でも安全性を確保できる。
【００４５】
（２）ダイオード等を用いることなく、汎用の電池４により誤挿入に対処できるので、コスト高とならず、そして電池収納部５や回路基板２が大型化しない。
【００４６】
（３）マイナス接続固定端子５２が電池４を回路基板２との間に押圧固定していることにより、開口部５０１からの電池４の離脱が防止されるとともに、電池４と回路基板２との電気的結合が安定する。すなわち、マイナス接続固定端子５２が電池４の回路基板への導通と、電池４の電池収納部５への固定とに兼用されることにより、コスト的に有利となり、小型薄型化が阻害されない。
【００４７】
（４）マイナス接続固定端子５２の３つの弾性部５２１Ｂによって電池４のマイナス極４２が３箇所で圧接されることにより、電池４が厚み方向に対して傾きにくくなる。これにより、時計１の携帯に伴う外乱、落下衝撃の際も電池４と回路基板２との電気的結合が安定する。
【００４８】
（５）マイナス接続固定端子５２の各弾性部５２１Ｂが電池４の平面中心から等距離でかつ電池４の周方向に均等に形成されているため、電池４が厚み方向に対してより傾きにくくなり、電池４と回路基板２との電気的結合がより安定する。
【００４９】
（６）回路基板２に当接する２つのコイルばね５２２によって電池４が回路基板２に２箇所以上で接続されることにより、電池４と回路基板２との電気的結合が安定する。
【００５０】
（７）プラス接続端子５１によって電池４が周方向の２箇所以上で圧接されることにより、開口部５０１の内周面部に対する電池４の移動が規制されるため、電池４と回路基板２との電気的結合が安定する。
【００５１】
（８）開口部５０１の電池４の厚み方向における寸法と電池４の厚みとの関係により、マイナス接続固定端子５２の弾性部５２１Ｂと電池４の側面部４１２との間に空隙が形成されるので、簡易な構造により、電池４のプラス極４１とマイナス極４２との短絡を防止できる。
【００５２】
〔第２実施形態〕
次に、本発明の第２実施形態について図４および図５を参照して説明する。図４は、本実施形態に係る時計を裏側から見た平面図である（裏蓋を外した状態）。図５は、図４のＶ−Ｖ´線断面図である。本実施形態では、電池収納部７の構成の一部が第１実施形態とは相違する。本実施形態における他の構成は、第１実施形態と同様である。
【００５３】
本実施形態の電池収納部７は、収納部本体７０と、第１実施形態と同様のプラス接続端子５１と、板部材としてのマイナス接続固定端子７２とを有している。
ここで、マイナス接続固定端子７２は、取付部５２１Ａと、板バネ部としての弾性部５２１Ｂと、板バネ部としての弾性部７２１Ｃとを有し、これらの取付部５２１Ａ、弾性部５２１Ｂ、および弾性部７２１Ｃは一体に形成されている。なお、弾性部７２１Ｃも、弾性部５２１Ｂと同様に板部材の打ち抜きによって形成されている。
【００５４】
図５に示すように、弾性部７２１Ｃは、収納部本体７０に形成された切欠７０１を介して回路基板２の図示しない基準電位ＧＮＤに接続されている。
このような本実施形態によれば、第１実施形態と同様の効果に加え、次のような効果が得られる。
（９）電池４のマイナス極４２への圧接と、マイナス極４２の回路基板２への導通とが一つの板部材（マイナス接続固定端子７２）により行われるので、部品点数が減少し、安価な構造とできる。
【００５５】
〔本発明の変形例〕
本発明は前記実施形態に限定されるものではなく、本発明の目的を達成できる範囲でのあらゆる改良、変形が可能である。
図６は、本発明の変形例を示す。本例の構成は、第１実施形態と略同様であるが、本例では、マイナス接続固定端子５２と電池４との間にドーナツ状の絶縁性シート部材８が介装されている。これにより、電池４の形状がばらついても、プラス極４１とマイナス極４２との短絡をより確実に防止できる。
【００５６】
本発明は、前記各実施形態などで示したディジタルクォーツに限らず、電池からの供給電力により動作する回路部を備えた各種の時計に適用できる。例えば、輪列を駆動して指針により時刻を表示するアナログクォーツにも適用できる。また、本発明は、電子時計（クォーツ）に限らず、ぜんまいを動力源とし、ぜんまいで発電された電力によって回路部を駆動し計時を行う電子制御式機械時計にも適用できる。
さらに、本発明は、扁平形状の電池を電源とする回路部を備える各種携帯機器への適用が可能であり、これらの各携帯機器においても、前述の時計と同様の効果を奏する。
これらの携帯機器としては、例えば情報通信携帯機器やディジタルカメラ、計測器などがある。
【００５７】
本発明における扁平形状の電池としては、コイン型リチウム電池やボタン型酸化銀電池などを例示できる。
ここで、本発明における電池は、一次電池、二次電池のいずれでも良いことは言うまでもない。二次電池は、太陽電池パネルを搭載した時計や機器において光発電された電力を蓄電したり、回転錘の回転時やりゅうずの回転時に発電された電力を蓄電したりするのに使用される。
【００５８】
また、前述した電池収納部５，７の収納部本体５０，７０は環状の枠体であり、内側に開口部５０１が貫通形成されていたが、収納部本体および開口部の構成はこれに限らない。収納部本体の開口部は、例えば、裏蓋側から回路部に向かって窪む凹部とされていてもよい。
【００５９】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形および改良を加えることができるものである。
上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６０】
【図１】本発明の第１実施形態に係る時計を裏側から見た平面図。
【図２】図１のII−II´線断面図（電池正常挿入状態）。
【図３】電池を逆極性に挿入した状態の図。
【図４】本発明の第２実施形態に係る時計を裏側から見た平面図。
【図５】図４のV−V ´線断面図。
【図６】本発明の変形例を示す図。
【符号の説明】
【００６１】
１・・・時計、２・・・回路基板（回路部）、４・・・電池、５，７・・・電池収納部、４１・・・プラス極、４２・・・マイナス極、５０・・・収納部本体、５１・・・プラス接続端子、５２・・・マイナス接続固定端子、７０・・・収納部本体、７２・・・マイナス接続固定端子（板部材）、４１１・・・平面部、４１２・・・側面部、５０１・・・開口部、５１１，５１２・・・弾性部、５２１Ｂ・・・弾性部（金属製弾性部・板バネ部）、５２２・・・コイルばね（金属製導通部材）、７２１Ｃ・・・弾性部（板バネ部）。
【図１】
0005186836.tif 000002
【図２】
0005186836.tif 000003
【図３】
0005186836.tif 000004
【図４】
0005186836.tif 000005
【図５】
0005186836.tif 000006
【図６】
0005186836.tif 000007